(57)【要約】【課題】  コミュニティ−のエネルギー需要とエネルギーのアウトプット、コミュニティーの立地条件を総合的に勘案して最適なエネルギー供給設備を容易に選定できるコミュニティ−のエネルギー供給システム構築支援技術を提供する。【解決手段】  各種コジェネレーション設備に関する情報を格納するコジェネ設備データベースと、各種ガス化設備に関する情報を格納するガス化設備データベースと、各種自然エネルギー設備に関する情報を格納する自然エネ設備データベースを具備するサーバにおいて、コミュニティー１から廃棄される廃棄物の廃棄状況に基づきガス化設備６の候補を抽出し、コミュニティーの立地特性に基づき自然エネルギー設備の候補を抽出し、選択されたガス化設備と、コミュニティー１のエネルギー使用予測量および廃熱予測量と、コミュニティーの立地特性を考慮してコジェネレーション設備３の候補を抽出する。【選択図】        図１
2006053680.tif 000002
【特許請求の範囲】
【請求項１】
複数のエネルギー需要設備を備えたコミュニティーのエネルギー供給システムを構築支援する方法であって、
各種コジェネレーション設備に関する情報を格納するコジェネ設備データベースと各種ガス化設備に関する情報を格納するガス化設備データベースとを具備するサーバにおいて、
コミュニティーのエネルギー使用予測量をそれぞれの前記エネルギー需要設備のエネルギー使用状況から演算するエネルギー使用予測量演算ステップと、
コミュニティーからの廃熱予測量をそれぞれの前記エネルギー需要設備の廃熱状況から演算する廃熱予測量演算ステップと、
前記コミュニティーから廃棄される廃棄物の廃棄状況に基づき、前記ガス化設備データベースに格納された各種ガス化設備に関する情報からガス化設備の候補を抽出するガス化設備抽出ステップと、
前記ガス化設備抽出ステップによって抽出されたガス化設備の中から設備購入者によって選択されたガス化設備と、前記エネルギー使用予測量演算ステップで演算されたエネルギー使用予測量と、前記廃熱予測量演算ステップで演算された廃熱予測量とに基づき、前記コジェネ設備データベースに格納された各種コジェネレーション設備に関する情報からコジェネレーション設備の候補を抽出するコジェネ設備抽出ステップと、
を具備することを特徴とするコミュニティーのエネルギー供給システム構築支援方法。
【請求項２】
前記サーバは、各種自然エネルギー設備に関する情報を格納する自然エネ設備データベースをさらに有し、
前記サーバにおいて、前記コミュニティーの立地特性に基づき、前記自然エネ設備データベースに格納された各種自然エネルギー設備に関する情報から自然エネルギー設備の候補を抽出する自然エネ設備抽出ステップをさらに設け、
前記コジェネ設備抽出ステップにおいては、前記自然エネ設備抽出ステップによって抽出された自然エネルギー設備の中から設備購入者によって選択された自然エネルギー設備によって得られるエネルギーを見込んで、前記コジェネレーション設備の候補を抽出するものであることを特徴とする請求項１記載のコミュニティーのエネルギー供給システム構築支援方法。
【請求項３】
前記エネルギー使用状況は、コミュニティーの電気使用状況や熱使用状況を含むものである請求項１記載のコミュニティーのエネルギー供給システム構築支援方法。
【請求項４】
前記ガス化設備抽出ステップは、前記廃棄物のガス化量を最大にするガス化設備を抽出するものであることを特徴とする請求項１記載のコミュニティーのエネルギー供給システム構築支援方法。
【請求項５】
前記コジェネ設備抽出ステップは、設備購入者の要望を制限情報として加味し、この制限情報の範囲内で、前記コジェネレーション設備の候補を選択するステップを含むものであることを特徴とする請求項１記載のコミュニティーのエネルギー供給システム構築支援方法。
【請求項６】
各種コジェネレーション設備に関する情報を格納するコジェネ設備データベースと各種ガス化設備に関する情報を格納するガス化設備データベースとを有して構成されたシステムを利用して複数のエネルギー需要設備を備えたコミュニティーのエネルギー供給システムを構築支援するためのコンピュータ読み取り可能なコミュニティーのエネルギー供給システム構築支援プログラムであって、
コミュニティーのエネルギー使用予測量をそれぞれの前記エネルギー需要設備のエネルギー使用状況から演算する機能と、
コミュニティーからの廃熱予測量をそれぞれの前記エネルギー需要設備の廃熱状況から演算する機能と、
前記コミュニティーから廃棄される廃棄物の廃棄状況に基づき、前記ガス化設備データ
ベースに格納された各種ガス化設備に関する情報からガス化設備の候補を抽出する機能と、
抽出されたガス化設備の中から設備購入者によって選択されたガス化設備と、演算された前記エネルギー使用予測量と、演算された前記廃熱予測量とに基づき、前記コジェネ設備データベースに格納された各種コジェネレーション設備に関する情報からコジェネレーション設備の候補を抽出する機能と
を実現させるためのコミュニティーのエネルギー供給システム構築支援プログラム。
【請求項７】
前記システムは、各種自然エネルギー設備に関する情報を格納する自然エネ設備データベースをさらに有し、
前記コミュニティーの立地特性に基づき、前記自然エネ設備ータベースに格納された各種自然エネルギー設備に関する情報から自然エネルギー設備の候補を抽出する機能をさらに実現させ、
前記コジェネレーション設備の候補を抽出する機能は、前記ガス化設備抽出ステップによって抽出された自然エネルギー設備の中から設備購入者によって選択された自然エネルギー設備によって得られるエネルギーを見込んでコジェネレーション設備の候補を抽出する機能をさらに具備するものであることを特徴とする請求項７記載のコミュニティーのエネルギー供給システム構築支援プログラム。
【請求項８】
前記請求項６又は７に記載のプログラムを記憶したコンピュータ読み取り可能な記憶媒体。
【発明の詳細な説明】
【技術分野】
【０００１】
本発明は、複数のエネルギー需要設備（エネルギー需要設備群）を有するコミュニティー（共同体）を構築するにあたり、エネルギーの最適利用を可能とするエネルギー供給システムの構築を支援するための技術に関する。
【背景技術】
【０００２】
既存の建造物等を利用して学校、スーパー、病院などのエネルギー需要設備群を整え、新たにコミュニティーを構築する計画がしばしば検討されている。このようなコミュニティーを構築する場合には、エネルギーの効率的な運用を図るために、コミュニティーへのエネルギーのインプット（電気、ガス）と、コミュニティーからのエネルギーのアウトプット（廃熱、バイオ系廃棄物）を勘案しつつ最適なエネルギー供給システムを構築する必要がある。また、コミュニティーの立地条件によってはエネルギー環境が異なるため、立地条件をも勘案することが好ましい。
【０００３】
従来、エネルギー需要設備群に電気と熱とを供給するコジェネレーション設備としては、特許文献１に示されるように、設備群が必要とする熱量を計測する手段と、設備群に電力を供給する自家発電設備とを具備し、計測した熱量をもとに必要とする目標発電量を予測し、この目標発電量に対応して自家発電設備の発電量を制御するものなどが考えられている。
【０００４】
【特許文献１】特開平６−５００５１号公報
【発明の開示】
【発明が解決しようとする課題】
【０００５】
しかしながら、設備郡が必要とする目標発電量に応じて発電量を制御する上述した構成は、導入されたコジェネレーション設備をどのように用いるかの問題であり、これから新たにコミュニティーを構築するような場合に、どのようなコジェネレーション設備を導入すべきかについては考慮されていない。このため、コミュニティー全体を見た場合に、コミュニティーへのエネルギーのインプット（電気、ガス）と、コミュニティーからのエネルギーのアウトプット（廃熱、バイオ源）を勘案して、また、コミュニティーの立地条件を勘案して設備購入者のニーズにあった最適なエネルギー供給設備が導入されている保証はなかった。
【０００６】
本発明は、以上のような事情に鑑みてなされたものであり、コミュニティーにエネルギー供給設備を導入する場合に、そのコミュニティーのエネルギー需要とコミュニティーからのエネルギーのアウトプットを総合的に勘案しつつ、最適なエネルギー供給設備を容易に選定することが可能なコミュニティーのエネルギー供給システム構築支援技術を提供することを主たる課題としている。また、コミュニティーの立地条件を勘案しつつ、最適なエネルギー供給設備を容易に選定することをも課題としている。
【課題を解決するための手段】
【０００７】
上記課題を達成するために、この発明に係るコミュニティーのエネルギー供給システム構築支援方法は、複数のエネルギー需要設備を備えたコミュニティーのエネルギー供給システムを構築支援する方法であって、各種コジェネレーション設備に関する情報を格納するコジェネ設備データベースと各種ガス化設備に関する情報を格納するガス化設備データベースとを具備するサーバにおいて、コミュニティーのエネルギー使用予測量をそれぞれの前記エネルギー需要設備のエネルギー使用状況から演算するエネルギー使用予測量演算ステップと、コミュニティーからの廃熱予測量をそれぞれの前記エネルギー需要設備の廃熱状況から演算する廃熱予測量演算ステップと、前記コミュニティーから廃棄される廃棄物の廃棄状況に基づき、前記ガス化設備データベースに格納された各種ガス化設備に関する情報からガス化設備の候補を抽出するガス化設備抽出ステップと、前記ガス化設備抽出ステップによって抽出されたガス化設備の中から設備購入者によって選択されたガス化設備と、前記エネルギー使用予測量演算ステップで演算されたエネルギー使用予測量と、前記廃熱予測量演算ステップで演算された廃熱予測量とに基づき、前記コジェネ設備データベースに格納された各種コジェネレーション設備に関する情報からコジェネレーション設備の候補を抽出するコジェネ設備抽出ステップとを具備することを特徴としている（請求項１）。
【０００８】
したがって、コミュニティーから廃棄される廃棄物の廃棄状況に基づき、ガス化設備の候補が抽出され、この抽出されたガス化設備の中から設備購入者によって選択されたガス化設備と、コミュニティーのエネルギー使用予測量および廃熱予測量とに基づき、コジェネレーション設備の候補が抽出されるので、設備購入者は最適なガス化設備とコジェネレーション設備を容易に選定することが可能となる。
【０００９】
また、前記サーバは、各種自然エネルギー設備に関する情報を格納する自然エネ設備データベースをさらに有し、前記サーバにおいて、前記コミュニティーの立地特性に基づき、前記自然エネ設備データベースに格納された各種自然エネルギー設備に関する情報から自然エネルギー設備の候補を抽出する自然エネ設備抽出ステップをさらに設け、前記コジェネ設備抽出ステップにおいて、前記自然エネ設備抽出ステップによって抽出された自然エネルギー設備の中から設備購入者によって選択された自然エネルギー設備によって得られるエネルギーを見込んで、前記コジェネレーション設備の候補を抽出するようにしてもよい（請求項２）。
【００１０】
このような構成とすれば、コミュニティーの立地条件に起因するエネルギー環境が異なる場合でも、コミュニティーの立地特性に基づき、自然エネルギー設備の候補が抽出され、この抽出された自然エネルギー設備の中から設備購入者によって選択された自然エネルギー設備によって得られるエネルギーを見込んでコジェネレーション設備の候補が抽出されるので、設備購入者はコミュニティーの立地特性を考慮した最適なガス化設備、自然エネルギー設備、及びコジェネレーション設備を容易に選定することが可能となる。
【００１１】
ここで、コミュニティーの立地特性とは、例えば、温泉が出る、河川がある、風が強く
吹く、晴天が多いなどの自然エネルギーを得ることが可能な立地条件を反映したパラメータで
ある。
また、上述において、コミュニティーのエネルギー使用状況は、コミュニティーの電気
使用状況や熱使用状況を含むものとするのがよく（請求項３）、また、前記ガス化設備抽出ステップは、前記廃棄物のガス化量を最大にするガス化設備を抽出するようにしてもよい（請求項４）。
【００１２】
さらに、コジェネ設備抽出ステップは、設備購入者の要望を制限情報として加味し、この制限情報の範囲内で、前記コジェネレーション設備の候補を選択するステップを含むようにしてもよい（請求項５）。
【００１３】
また、上記課題を達成するために、この発明に係るコミュニティーのエネルギー供給システム構築支援プログラムは、各種コジェネレーション設備に関する情報を格納するコジェネ設備データベースと各種ガス化設備に関する情報を格納するガス化設備データベースとを有して構成されたシステムを利用して複数のエネルギー需要設備を備えたコミュニティーのエネルギー供給システムを構築支援するためのコンピュータ読み取り可能なプログラムであって、コミュニティーのエネルギー使用予測量をそれぞれの前記エネルギー需要設備のエネルギー使用状況から演算する機能と、コミュニティーからの廃熱予測量をそれぞれの前記エネルギー需要設備の廃熱状況から演算する機能と、前記コミュニティーから廃棄される廃棄物の廃棄状況に基づき、前記ガス化設備データベースに格納された各種ガス化設備に関する情報からガス化設備の候補を抽出する機能と、抽出されたガス化設備の中から設備購入者によって選択されたガス化設備と、演算された前記エネルギー使用予測量と、演算された前記廃熱予測量とに基づき、前記コジェネ設備データベースに格納された各種コジェネレーション設備に関する情報からコジェネレーション設備の候補を抽出する機能とを実現させることを特徴としている（請求項６）。
【００１４】
ここで、前記システムは、各種自然エネルギー設備に関する情報を格納する自然エネ設備データベースをさらに有し、コンピュータ読み取り可能なプログラムは、前記コミュニティーの立地特性に基づき、前記自然エネ設備ータベースに格納された各種自然エネルギー設備に関する情報から自然エネルギー設備の候補を抽出する機能をさらに実現させ、前記コジェネレーション設備の候補を抽出する機能は、前記ガス化設備抽出ステップによって抽出された自然エネルギー設備の中から設備購入者によって選択された自然エネルギー設備によって得られるエネルギーを見込んでコジェネレーション設備の候補を抽出する機能をさらに具備するようにしてもよい（請求項７）。
尚、上述したプログラムは、コンピュータ読み取り可能な記憶媒体に格納されて提供されていもよいし（請求項８）、有線または無線による通信手段を介して配信されてもよい。
【発明の効果】
【００１５】
以上述べたように、本発明によれば、コミュニティーから廃棄される廃棄物の廃棄状況に基づき、ガス化設備の候補が抽出され、この抽出されたガス化設備の中から設備購入者によって選択されたガス化設備と、コミュニティーのエネルギー使用予測量および廃熱予測量とに基づき、コジェネレーション設備の候補が抽出されるので、コミュニティーにガス化設備およびコジェネレーション設備を導入する場合に、そのコミュニティーのエネルギー需要とコミュニティーからのエネルギーのアウトプットを総合的に勘案しつつ、最適な設備を容易に選定することが可能となる。
【００１６】
また、コミュニティーの立地特性に基づき自然エネルギー設備の候補が抽出され、この抽出された自然エネルギー設備の中から設備購入者によって選択された自然エネルギー設備によって得られるエネルギーを見込んでコジェネレーション設備の候補が抽出されるので、コミュニティーの立地条件に起因するエネルギー環境が異なる場合でも、設備購入者はコミュニティーの立地特性を勘案しつつ、最適な設備を容易に選定することが可能となる。
【発明を実施するための最良の形態】
【００１７】
以下、この発明の最良の実施形態を添付図面を参照しながら説明する。
【００１８】
図１において、コミュニティー（共同体）１のエネルギー供給システムの構成例が示されている。この例においては、学校、病院、スーパーなどのエネルギー需要設備２群に対してエネルギーを供給する場合に、エネルギー需要設備２毎にコジェネレーション設備３を設置し、それぞれのコジェネレーション設備３から電気及び熱を供給するようにしている。それぞれのコジェネレーション設備３には、ガスホルダー４に蓄積された燃料（ガス）が供給されるようになっており、このガスホルダー４に蓄積されるガスは、ガス事業者５から購入したガスと、エネルギー需要設備２から排出されるバイオ系廃棄物（ゴミ）をガス化設備６にてガス化した生成ガスが供給されるようになっている。また、各エネルギー需要設備２に対しては、自然エネルギー設備７から生成されたエネルギーがバッテリー８に貯蓄されて電気エネルギーとして供給されるとともに、コジェネレーション設備３や自然エネルギー設備７から供給されるエネルギーだけで賄えない分を系統電源９から供給される電気エネルギーによって補うようにしている。また、ガス化設備６によるバイオ系廃棄物（ゴミ）のガス化においては、近隣から収集された間伐材、事業廃棄物、清掃活動による排出物（雑草、落穂など）、家庭ゴミなどのバイオ系廃棄物８を受け入れてガス化できるようにしている。
【００１９】
以上のようなコミュニティー１のエネルギー供給システムを構築するにあたり、ガス化設備６、自然エネルギー設備７、及びコジェネレーション設備３の選定が必要となるので、下記するサーバを利用して、コミュニティー１へのエネルギーのインプット（電気、ガス）と、コミュニティー１からのエネルギーのアウトプット（廃熱、バイオ源）を勘案しつつガス化設備、自然エネルギー設備、及びコジェネレーション設備を選定し、設備購入者のニーズにあった最適なエネルギー供給システムを構築するようにしている。
【００２０】
図２に、本実施の形態に係るサーバの概略構成例が示されている。このサーバは、ＣＰＵ，ＲＯＭ，ＲＡＭ，入出力装置等を具備し、各種ソフトウエアが記憶媒体などから読み込まれてメモリに保持され、ＣＰＵにより実行されるそれ自体公知のハードウエアを利用するもので、各種コジェネレーション設備に関する情報を格納するコジェネ設備データベース１０と、各種ガス化設備に関する情報を格納するガス化設備データベース１１と、各種自然エネルギー設備に関する情報を格納する自然エネ設備データベース１２と、コミュニティー１のエネルギーの使用状況からコミュニティー１のエネルギー使用予測量を演算するエネルギー使用予測量演算部１３と、コミュニティー１の廃熱排出状況からコミュニティー１の廃熱予測量を演算する廃熱予測量演算部１４と、コミュニティーの廃棄物の廃棄状況に基づきガス化設備データベース１１から適したガス化設備６の候補を抽出するガス化設備抽出部１５と、コミュニティー１の立地特性に基づき自然エネルギー設備データベース１２から適した自然エネルギー設備７の候補を抽出する自然エネ設備抽出部１６と、ガス化設備抽出部１５で抽出されたガス化設備の候補の中から設置購入者によって選択されたガス化設備、エネルギー使用予測量演算部１３で演算されたコミュニティー１のエネルギー使用予測量、及び廃熱予測量演算部１４で演算されたコミュニティー１の廃熱予測量を勘案すると共に、自然エネ設備抽出部１６で抽出された自然エネルギー設備の候補の中から設置購入者によって選択された自然エネルギー設備で生成されるエネルギーを見込んで、コジェネ設備データベース１０から適したコジェネレーション設備の候補を抽出するコジェネ設備抽出部１７とを有している。
【００２１】
ここで、コジェネ設備データベース１０には、図３に示されるように、各種コジェネレーション設備の出力、コスト、使用燃料などの設備仕様や、導入実績に基づく信頼性、設置スペース、騒音レベル、排気清浄度などの評価指標のデータが蓄積されている。また、ガス化設備データベース１１には、図４に示されるように、各種ガス化設備の出力、排出物、ガス化源、コスト、生成物などの設備仕様や、導入実績に基づく信頼性や、設置スペース、騒音レベルなどの評価指標のデータが蓄積されている。さらに、自然エネ設備データベース１２には、図５に示されるように、各種自然エネルギー設備の立地特性、出力、設置スペース、コストなどの設備仕様や、導入実績に基づく信頼性や騒音レベルなどの評価指標のデータが蓄積されている。
【００２２】
このように構成されたサーバを利用してコミュニティー１のエネルギー供給システムを構成するガス化設備６や自然エネルギー設備７、コジェネレーション設備３を選定する処理例の概略を図６に示すフローチャートに基づいて説明する。
【００２３】
先ず、コミュニティー１の一日のエネルギー（電気、熱）の使用状況を計測してサーバに入力し、このエネルギー使用状況からコミュニティー１の一日のエネルギー使用予測量を演算する（Ｓ１）。具体的には、図７に示されるように、コミュニティー１の構成業種別（例えば、学校、病院、スーパーなど）の一日の電気使用状況と熱使用状況とを経時的に計測し、その結果をサーバに入力して、それぞれの構成業種別の電気使用状況を合算して得られたコミュニティー全体の一日の電気使用状況をコミュニティーの電気使用予測量とし、それぞれの構成業種別の熱使用状況を合算して得られたコミュニティー全体の一日の熱使用状況をコミュニティーの熱使用予測量とする。
【００２４】
また、コミュニティー１の一日の廃熱排出状況を蒸気などのガス化された廃熱分と温廃水などの液化された廃熱分とに分けて計測し、その結果をサーバに入力して、コミュニティー１の一日の廃熱予測量を演算する（Ｓ２）。具体的には、図８に示されるように、コミュニティーの構成業種別（例えば、学校、病院、スーパーなど）の一日のガス化された廃熱（ＧＡＳ）排出状況と液化された廃熱（Ｌｉｑｕｉｄ）排出状況を計測し、その結果をサーバに入力して、それぞれの構成業種別の廃熱（ＧＡＳ）排出状況を合算して得られた一日の廃熱（ＧＡＳ）排出状況をコミュニティー全体の一日の廃熱（ＧＡＳ）予測量とし、それぞれの構成業種別の廃熱（Ｌｉｑｕｉｄ）排出状況を合算して得られた一日の廃熱（Ｌｉｑｕｉｄ）排出状況をコミュニティー全体の一日の廃熱（Ｌｉｑｕｉｄ）予測量とする。
【００２５】
次に、図９に示されるように、コミュニティーの１時間当たりのバイオ系廃棄物（ゴミ）の排出状況を計測して入力し、この入力されたバイオ系排出状況に基づき、ガス化設備データベース１１に格納された各種ガス化設備に関する情報から廃棄物のガス化量を最大にするガス化設備の候補を抽出させる（Ｓ３）。その抽出結果は、リスト形式でモニターやプリンタ等の出力装置に出力させる。ここで抽出するガス化設備の候補は、１つとは限らず、複数を抽出するようにしてもよい。そして、抽出したガス化設備の候補の中からイニシャルコストや騒音等の評価指標に基づき、設備購入者のニーズにあったガス化設備６を選択してもらう。
【００２６】
また、図１０に示されるように、コミュニティーの立地特性、たとえば、太陽光に関する特性（日平均日照（ｈ））、風力に関する特性（日平均風速（m/s)）、水力に関する特性（流水の落差（ｍ）、水量（ｔ/min））、地熱に関する特性（深度（ｍ）、温度
（℃））、潮流に関する特性（日平均最大流速ｍ/ sec)、波力に関する特性（日平均波高（cm))、温度差に関する特性（温度差（Δ℃））などを計測して数値化した上で入力し、この入力された立地特性に基づき、自然エネ設備データベース１２に格納された各種自然エネルギー設備に関する情報から自然エネルギー設備の候補を抽出させる（Ｓ４）。その抽出結果は、リスト形式でモニターやプリンタ等の出力装置に出力させる。そして、ここで抽出した自然エネルギー設備の中から導入実績や騒音等の評価指標に基づき、設備購入者のニーズにあった自然エネルギー設備を選択してもらう。
【００２７】
その後、選択したガス化設備６に関する情報、コミュニティー１のエネルギー使用予測量（電気使用予測量、熱使用予測量）、コミュニティー１の廃熱予測量（廃熱（ＧＡＳ）予測量、廃熱（Ｌｉｑｕｉｄ）予測量）を勘案しつつ、また、自然エネルギー設備ラインナップの中から設備購入者によって選択された自然エネルギー設備によって得られるエネルギーを見込んで、サーバに、コジェネ設備データベース１０に格納された各種コジェネレーション設備に関する情報から、コミュニティー１の各エネルギー需要設備２に適したコジェネレーション設備３の候補を抽出させ（Ｓ５）、モニターやプリンター等の出力装置に、例えば、図１１に示されるように出力させる。ここで、サーバの演算においては、ガス事業者からのガスの購入量（ガスの入力量）と系統電源からの電気の購入量（電気の入力量）が最小となるようなコジェネレーション設備の候補を、例えばイニシャルコストが低い順にリストアップする。
【００２８】
この際、コジェネレーション設備の候補をリストアップする段階で、コジェネレーション設備の基数による設置スペースなど、顧客の初期の制限条件をオーバしているか否かを判定し、オーバーしている場合には、条件に合ったコジェネレーション設備をリストアップし直すようにしてもよい。
【００２９】
そして、抽出されたコジェネレーション設備３の候補の中から、信頼性、設置スペース、騒音等の評価指標に基づき、設備購入者のニーズにあったコジェネレーション設備を選択して確定してもらう（Ｓ６）。
【００３０】
したがって、以上の構成によれば、コミュニティーから廃棄される廃棄物の廃棄状況に基づきガス化設備６の候補が抽出され、コミュニティー１の立地条件に基づき自然エネルギー設備７の候補が抽出され、抽出されたガス化設備の中から設備購入者によって選択されたガス化設備とコミュニティーのエネルギー使用予測量および廃熱予測量とを考慮しつつ、さらには、抽出された自然エネルギー設備の中から設備購入者によって選択された自然エネルギー設備によって得られるエネルギーをさらに見込んで、前記コジェネレーション設備３の候補が抽出されるので、設置購入者は、コミュニティー１のエネルギー需要とコミュニティー１からのエネルギーのアウトプット、コミュニティーの立地特性を総合的に勘案しつつ、自身のニーズにあった最適なガス化設備６、自然エネルギー設備７、コジェネレーション設備３を容易に選定することが可能となり、最適なエネルギー供給システムを構築することが可能となる。
【００３１】
尚、上述の構成においては、自然エネルギー設備７から電力を得る場合を考慮したが、温水（温泉水）等が利用できる立地環境においては、自然エネルギー設備７からエネルギー需要設備２に熱エネルギーを供給するようにしてもよい。
【図面の簡単な説明】
【００３２】
【図１】図１は、コミュニティーのエネルギー供給システムの構成例を示すブロックダイアグラムである。
【図２】図２は、サーバの構成例を示すブロックダイアグラムである。
【図３】図３は、コジェネ設備データベースに格納されたコジェネラインアップのデータ構造例を示す図である。
【図４】図４は、ガス化設備データベースに格納されたガス化設備ラインアップのデータ構造例を示す図である。
【図５】図５は、自然エネ設備データベースに格納された自然エネルギー設備ラインアップのデータ構造例を示す図である。
【図６】図６は、コミュニティーのエネルギー供給システムを構成するガス化設備や自然エネルギー設備、コジェネレーション設備を選定するためのサーバによる処理例を示すフローチャートである。
【図７】図７は、コミュニティーのエネルギー使用状況（電気使用状況、熱使用状況）とエネルギー使用予測量（電気使用予測量、熱使用予測量）の関係を示す図である。
【図８】図８は、コミュニティーの廃熱排出状況（廃熱（Ｇａｓ）排出状況、廃熱（Ｌｉｑｕｉｄ）排出状況）と廃熱予測量（廃熱（Ｇａｓ）予測量、廃熱（Ｌｉｑｕｉｄ）予測量）の関係を示す図である。
【図９】図９は、バイオ系廃棄物の排出状況と、ガス化設備の抽出リスト例を示す図である。
【図１０】図１０は、コミュニティーの立地特性と、自然エネルギー設備の抽出リスト例を示す図である。
【図１１】図１１は、コジェネレーション設備の抽出リスト例を示す図である。
【符号の説明】
【００３３】
１  コミュニティー
２  エネルギー需要設備
３  コジェネレーション設備
６  ガス化設備
７  自然エネルギー設備
１０  コジェネ設備データベース
１１  ガス化設備データベース
１２  自然エネ設備データベース
【図１】
2006053680.tif 000003
【図２】
2006053680.tif 000004
【図５】
2006053680.tif 000005
【図６】
2006053680.tif 000006
【図７】
2006053680.tif 000007
【図８】
2006053680.tif 000008
【図３】
2006053680.tif 000009
【図４】
2006053680.tif 000010
【図９】
2006053680.tif 000011
【図１０】
2006053680.tif 000012
【図１１】
2006053680.tif 000013